(57)【要約】【課題】メンテナンス性が損なわれることを抑制する空気調和装置を提供することを目的としている。【解決手段】制御部は、リモコン情報を受信したか、操作情報を受信したかを判定する判定手段と、判定手段でリモコン情報を受信したと判定すると駆動部を動作させ、判定手段で操作情報を受信したと判定すると予め設定された時間である待機時間を経過してから駆動部を動作させる駆動制御手段とを有する。【選択図】図１
2015052437.tif 000002
【特許請求の範囲】
【請求項１】
外部ネットワークを介して伝達された運転内容を備える操作情報を受信するアダプターが接続されている空気調和装置において、
空調時に動作する駆動部と、
コントローラから送信されたリモコン情報を受信する受信部と、
前記アダプターを介して前記操作情報が受信されたとき及び前記受信部で前記リモコン情報が受信されたとき、前記駆動部の動作を制御する制御部と、
を有し、
前記制御部は、
前記リモコン情報を受信したか、前記操作情報を受信したかを判定する判定手段と、
前記判定手段で前記リモコン情報を受信したと判定すると前記駆動部を動作させ、前記判定手段で前記操作情報を受信したと判定すると予め設定された時間である待機時間を経過してから前記駆動部を動作させる駆動制御手段とを有する
ことを特徴とする空気調和装置。
【請求項２】
前記アダプターを介して前記操作情報が受信されたとき及び前記受信部で前記リモコン情報が受信されたときに情報を出力する情報出力部を有し、
前記情報出力部は、
音を発する音発生部を有し、
前記制御部は、
前記操作情報が受信された場合に、前記音発生部に予め設定された受信音を出力させ、
前記駆動制御手段は、
前記音発生部で前記受信音が出力された後に前記待機時間を経過してから前記駆動部を動作させる
ことを特徴とする請求項１に記載の空気調和装置。
【請求項３】
前記アダプターを介して前記操作情報が受信されたとき及び前記受信部で前記リモコン情報が受信されたときに情報を出力する情報出力部を有し、
前記情報出力部は、
表示部を有し、
前記制御部は、
前記操作情報が受信された場合に、前記表示部に予め設定された表示をさせ、
前記駆動制御手段は、
前記表示部で前記表示がされた後に前記待機時間を経過してから前記駆動部を動作させる
ことを特徴とする請求項１又は２に記載の空気調和装置。
【請求項４】
前記駆動部は、
室内機に設けられた送風ファン及び前記室内機に設けられた風向板ユニットを有する
ことを特徴とする請求項１〜３のいずれか一項に記載の空気調和装置。
【請求項５】
前記駆動制御手段は、
前記アダプターで前記操作情報が受信されて、前記駆動部を動作させる場合に、前記風向板ユニットを動作させた後に前記送風ファンを動作させる
ことを特徴とする請求項４に記載の空気調和装置。
【発明の詳細な説明】
【技術分野】
【０００１】
本発明は、空気調和装置に関するものである。
【背景技術】
【０００２】
従来、宅外にいるユーザーが携帯電話などの端末を利用することで、宅外遠隔から空気調和装置を操作することができるように構成した空気調和装置に関する技術が提案されている（たとえば、特許文献１参照）。
特許文献１に記載の技術は、自宅にいるユーザーによるリモコンの運転指示内容に応じて、宅外にいるユーザーが携帯電話などの端末で操作できる運転指示内容に制限を課すようにしたものである。これにより、たとえば自宅にいるユーザーが冷房運転を実施しているのに、宅外にいるユーザーからの操作で暖房運転に移行するといったような、自宅にいるユーザーの意図しない運転に移行することを防止している。
【先行技術文献】
【特許文献】
【０００３】
【特許文献１】特開２００７−２４４２０号公報（たとえば、図３参照）
【発明の概要】
【発明が解決しようとする課題】
【０００４】
特許文献１に記載の技術では、ユーザー及びサービスマンなどが空気調和装置の点検、修理、清掃などをしているときに、携帯電話などの端末により宅外から空気調和装置の動作内容が変更され、室内機に搭載された可動部（送風ファンなど）などで手などを傷付けてしまう可能性がある。
【０００５】
すなわち、特許文献１に記載の技術は、リモコンで運転開始指示を受けた後の、宅外遠隔からの操作レベルを制限するものであって、運転停止中の宅外遠隔からの運転開始の操作指示に対しては考慮されているものではない。このため、ユーザー及びサービスマンなどは、携帯電話などの端末からの操作により可動部が動き出すことを知らずに、空気調和装置の点検、修理、清掃などを行ってしまう場合がある。
【０００６】
このような場合には、仮に空気調和装置から運転開始の音、表示などによる報知がされたとしても、ユーザー及びサービスマンが室内機から手を抜くのが間に合わず、手を傷付けてしまう可能性がある。このように、特許文献１に記載の技術では、空気調和装置のメンテナンス性が損なわれてしまうという課題がある。
【０００７】
本発明は、以上のような課題を解決するためになされたもので、メンテナンス性が損なわれることを抑制する空気調和装置を提供することを目的としている。
【課題を解決するための手段】
【０００８】
本発明に係る空気調和装置は、外部ネットワークを介して伝達された運転内容を備える操作情報を受信するアダプターが接続されている空気調和装置において、空調時に動作する駆動部と、コントローラから送信されたリモコン情報を受信する受信部と、アダプターを介して操作情報が受信されたとき及び受信部でリモコン情報が受信されたとき、駆動部の動作を制御する制御部と、を有し、制御部は、リモコン情報を受信したか、操作情報を受信したかを判定する判定手段と、判定手段でリモコン情報を受信したと判定すると駆動部を動作させ、判定手段で操作情報を受信したと判定すると予め設定された時間である待機時間を経過してから駆動部を動作させる駆動制御手段とを有する。
【発明の効果】
【０００９】
本発明に係る空気調和装置によれば、上記構成を有しているため、メンテナンス性が損なわれることを抑制することができる。
【図面の簡単な説明】
【００１０】
【図１】本発明の実施の形態に係る空気調和装置を含む空調システムを示す模式図である。
【図２】本発明の実施の形態に係る空気調和装置の説明図である。
【図３】本発明の実施の形態に係る空気調和装置の室内機の断面図である。
【図４】本発明の実施の形態に係る空気調和装置の室内機を示すブロック図である。
【図５】本発明の実施の形態に係る空気調和装置の制御フローを示した図である。
【図６】図５とは異なる制御フローを示した図である。
【発明を実施するための形態】
【００１１】
以下、本発明の実施の形態を図面に基づいて説明する。
実施の形態．
図１は、本発明の実施の形態に係る空気調和装置１００を含む空調システム５００を示す模式図である。図２は、実施の形態に係る空気調和装置１００の説明図である。図３は、実施の形態に係る空気調和装置１００の室内機１の断面図である。図１〜図３に基づいて、空気調和装置１００及びこの空気調和装置１００を含む空調システム５００について説明する。
【００１２】
［空調システム５００］
図１に示すように、空調システム５００は、コントローラ７を有する空気調和装置１００と、空気調和装置１００に接続されているアダプター２と、アダプター２と通信するルータ８と、ルータ８と外部ネットワーク１１を介して通信する集中管理装置１３と、集中管理装置１３と通信する携帯電話などの操作端末９とを有している。
【００１３】
（空気調和装置１００）
空気調和装置１００は、空調対象空間（たとえば、家屋の部屋、倉庫、ビルの一室など）に空調空気を供給する室内機１と、絞り装置５１及び圧縮機５２などが搭載された室外機１Ｂとを有している。そして、室内機１と室外機１Ｂとが冷媒配管６３で接続されている。
【００１４】
室内機１は、たとえば居宅１０に設置されているものである。そして、室内機１は、空調対象空間（たとえば、部屋、倉庫、ビルの一室など）に空気を供給する送風ファン１０６と、送風ファン１０６から吹き出される空気の方向を調節するのに利用される風向板ユニット１０７と、冷媒が供給される室内熱交換器１０８とを有している。また、室内機１は、室内機１に付属されたコントローラ７からのリモコン情報を受信する受信部３と、空気調和装置１００の運転の内容などをユーザーに伝達するのに利用される情報出力部４と受信部３に電気的に接続されている制御部２１とを有している。風向板ユニット１０７は、回転自在の風向板、及び風向板を回転させるモーターなどから構成されるものである。
なお、情報出力部４は、音を発生することでユーザーに報知をする音発生部５と、表示をすることでユーザーに報知をする表示部６とを有するものである。表示部６は、ＬＥＤランプを使用した表示でもよいし、フルセグメントを使用した文字表示などを用いてもよい。また、コントローラ７は、空気調和装置１００を遠隔操作できるリモートコントローラであるものとして説明するが、それに限定されるものではなく、有線で室内機１に接続されたものであってもよい。なお、制御部２１については、後段の図４にて詳しく説明する。
【００１５】
室外機１Ｂは、たとえば、屋外、ビルの屋上などに設置されるものである。室外機１Ｂは、冷媒を減圧する絞り装置５１と、冷媒を圧縮する圧縮機５２と、冷媒の流路を切り換える四方弁５３と、暖房運転時には蒸発器として機能し、冷媒運転時には凝縮器（放熱器）として機能する室外熱交換器５４と、室外熱交換器５４に付設され、室外熱交換器５４に空気を供給する室外送風ファン５５とを有している。
また、室外機１Ｂは、制御部２１と電気的に接続され、制御部２１と情報のやりとりをする室外機制御部２１Ｂを有している。この室外機制御部２１Ｂは、図示は省略しているが、たとえば、圧縮機５２などが搭載される圧縮機室の上部に配置される電気品箱に設けられる。室外機制御部２１Ｂは、制御部２１から受け取った情報に基づいて圧縮機５２の回転数及び絞り装置５１の開度を制御する。なお、室外機１Ｂに絞り装置５１が設置されているものとして説明するが、それに限定されるものではなく、室外機１Ｂの外側に設けられていてもよい。
【００１６】
空気調和装置１００の駆動部には、室内機１の送風ファン１０６及び風向板ユニット１０７、室外機１Ｂの圧縮機５２、絞り装置５１、四方弁５３及び室外送風ファン５５などが該当する。なお、たとえば、図示省略しているが、室内機１が、室内機１に備え付けられる集塵フィルターに付設されるプラズマ集塵部などを有していてもよい。なお、プラズマ集塵部は、たとえば対向電極及び電源などを有するものである。プラズマ集塵部も駆動部に該当する。
【００１７】
（アダプター２）
アダプター２は、室外機１Ｂの制御部２１に接続され、制御部２１と情報のやりとりを行うものである。また、アダプター２は、ルータ８と無線で接続されており、ルータ８を介して外部ネットワーク１１に接続されているものである。なお、本実施の形態では、空気調和装置１００がアダプター２を構成として有さないものとして説明するが、それに限定されるものではなく、空気調和装置１００がアダプター２を構成として有するものであってもよい。
【００１８】
（ルータ８）
ルータ８は、空気調和装置１００と操作端末９とのデータを２つ以上の異なるネットワーク間に中継する通信機器である。ルータ８は、コントローラ７、制御部２１及びアダプター２などを接続して構成されるネットワークと、集中管理装置１３及び外部ネットワーク１１などを接続して構成される外部ネットワーク１１とを中継する通信機器である。ルータ８は、無線によりアダプター２に接続されるとともに、外部ネットワーク１１を介して集中管理装置１３に接続されている。外部ネットワーク１１は、たとえば、インターネット網１２であって、このインターネット網１２に、サーバ等の集中管理装置１３が接続されている。
【００１９】
（集中管理装置１３）
集中管理装置１３は、操作端末９と通信を行うものである。宅外において、たとえば操作端末９を用いて、室内機１に対する操作指示がなされると、インターネット網１２を介して、この操作指示に関する運転内容が、一旦集中管理装置１３に保存される。この集中管理装置１３は、アダプター２を介して室内機１と、定期的に情報のやりとりを行っている。この情報のやりとりは、たとえば、５分に一回程度行われる。
【００２０】
制御部２１は、室内機１に関する情報を、アダプター２に出力する。アダプター２は、室内機１から受け取った情報をルータ８に送信する。ルータ８は、アダプター２から受け取った情報を、インターネット網１２を介して集中管理装置１３に送信する。
集中管理装置１３は、この送信に対する返信を行う際、集中管理装置１３に保存された情報をインターネット網１２に出力する。ルータ８は、インターネット網１２を介して集中管理装置１３から出力された情報を受け取る。ルータ８は、この受け取った情報をアダプター２に送信する。アダプター２は、ルータ８から受け取った情報を制御部２１に送信する。このように、集中管理装置１３と室内機１とは、定期的に情報のやりとりを行っている。
【００２１】
（操作端末９）
操作端末９は、たとえば、携帯電話などの端末である。操作端末９は、集中管理装置１３と通信を行うことができるものである。なお、操作端末９は携帯電話に限定されるものではなく、たとえば、集中管理装置１３と通信することができる端末であればよい。
【００２２】
操作端末９は、空気調和装置１００を動作させるのに利用されるプログラム（アプリケーション）を有しているものである。このアプリケーションは、たとえば、風量の調節、温度の調節、風向板ユニット１０７の角度の調節などを入力することができるように構成されている。たとえば、操作端末９を有するユーザーが、風量変更、温度変更、風向板ユニット１０７の角度変更などを実行するように操作端末９を入力すると、この入力情報が集中管理装置１３、インターネット網１２、ルータ８及びアダプター２を介して制御部２１に出力される。そして、制御部２１は、たとえば風量変更の出力を受け取ると送風ファン１０６の回転数の増減をする。また、制御部２１は、温度変更の出力を受け取ると、絞り装置５１の開度の調整及び圧縮機５２の回転数の増減などをする。さらに、制御部２１は、風向板ユニット１０７の角度変更の出力を受け取ると、風向板ユニット１０７を駆動するモータ（図示省略）を動作させる。
【００２３】
［空気調和装置１００の冷凍サイクルについて］
図２（ａ）を参照しながら、同図で示される冷媒回路の冷凍サイクル動作について説明する。図２（ａ）において、冷房運転時及び除湿運転時には、冷媒回路内の冷媒は実線で示す矢印の方向に流れ、一方、暖房運転には、冷媒回路内の冷媒は破線で示す矢印の方向に流れる。
【００２４】
まず、冷房運転について説明する。冷房運転開始時に、冷媒回路内の冷媒が図２（ａ）の実線で示す方向に流れるように、四方弁５３の接続が切り替えられる。圧縮機５２によって圧縮され吐出された気体冷媒は、四方弁５３を経由して、室外熱交換器５４へ流入する。この室外熱交換器５４に流入した気体冷媒は、室外送風ファン５５から供給される外気と熱交換が実施されて凝縮し、室外熱交換器５４から流出する。この室外熱交換器５４から流出した冷媒は、絞り装置５１に流入し、この絞り装置５１によって膨張され減圧される。減圧された冷媒は、室内熱交換器１０８に流入し、送風ファン１０６から供給される室内空気と熱交換が実施されて気化し、室内熱交換器１０８から流出する。この室内熱交換器１０８から流出した気体冷媒は、四方弁５３を介して圧縮機５２に吸引される。
【００２５】
次に、暖房運転について説明する。暖房運転開始時に、冷媒回路内の冷媒が図２（ａ）に示す破線で示す方向に流れるように、四方弁５３の接続が切り替えられる。圧縮機５２によって圧縮され吐出された気体冷媒は、四方弁５３を経由して、室内熱交換器１０８に流入する。この室内熱交換器１０８に流入した気体冷媒は、送風ファン１０６から供給される室内空気と熱交換が実施され凝縮し、室内熱交換器１０８から流出する。この室内熱交換器１０８から流出した冷媒は、絞り装置５１に流入し、この絞り装置５１によって膨張され減圧される。減圧された冷媒は、室外熱交換器５４に流入し、室外送風ファン５５から供給される室外空気と熱交換が実施されて気化し、室外熱交換器５４から流出する。この室外熱交換器５４から流出した気体冷媒は、四方弁５３を介して圧縮機５２に吸引される。
【００２６】
［制御部２１について］
次に、制御部２１について説明する。図４は、実施の形態に係る空気調和装置１００の室内機１を示すブロック図である。制御部２１は、情報入力手段２２、情報入出力手段２３、記憶手段２５、統括部２６及び出力手段２４を備えている。制御部２１は、たとえば、マイコンなどで構成されるものである。
【００２７】
情報入力手段２２は、コントローラ７からのリモコン情報を受信した受信部３から、このリモコン情報を受け取って処理するものである。情報入出力手段２３は、集中管理装置１３から出力される操作情報を受信したアダプター２から、この操作情報を受け取って処理するものである。また、情報入出力手段２３は、それに加え、室内機１自体の情報を、アダプター２に出力するものである。情報入出力手段２３からアダプター２に出力される情報としては、たとえば、リモコン情報がある。
【００２８】
記憶手段２５は、各種の制御設定値及びプログラムなどが記憶されているものである。記憶手段２５は、たとえばフラッシュメモリなどに対応する記憶媒体で構成される。記憶手段２５は、統括部２６により、リモコン情報又は操作情報などに基づいた制御設定値又はプログラムなどが読み出される。そして、統括部２６によって演算がされた後に、その演算結果が出力手段２４、情報入出力手段２３に送信される。
【００２９】
統括部２６は、操作情報が受信されたとき、及びリモコン情報が受信されたときなどに、演算を実施して出力手段２４、情報入出力手段２３などに演算結果（情報）を出力するものである。統括部２６は、情報入力手段２２から出力される情報、記憶手段２５に格納されている制御設定値及びプログラムなどに基づいて各種演算をし、演算結果を出力手段２４にしたり、情報入出力手段２３にしたりする。統括部２６は、操作端末９を介して空気調和装置１００の運転の開始をするとの情報を受け取ると図５及び図６で説明する待機時間を設けて駆動部の動作を遅らせるが、コントローラ７を介して空気調和装置１００の運転の開始をするとの情報を受け取ると上記待機時間を設けずに駆動部の動作を行う。つまり、統括部２６は、リモコン情報を受信したか、操作情報を受信したかを判定する判定手段２６Ａと、判定手段２６Ａでリモコン情報を受信したと判定すると駆動部を動作させ、判定手段２６Ａで操作情報を受信したと判定すると、予め設定された時間である待機時間を待ってから駆動部を動作させる駆動制御手段２６Ｂとを有する。
【００３０】
出力手段２４は、統括部２６からの情報（演算結果）を受け取り、情報出力部４、送風ファン１０６及び風向板ユニット１０７などに対し、動作指示を出力するものである。
【００３１】
［制御部２１などの動作説明］
図５は、実施の形態に係る空気調和装置１００の制御フローを示した図である。図５を参照して、在宅者（ユーザー、サービスマンなど）がコントローラ７を用いて運転開始指示を空気調和装置１００にした場合と、宅外のユーザーから集中管理装置１３を介して運転開始の指示を空気調和装置１００にした場合の動作とについての空気調和装置１００の動作について説明する。
なお、図５及び図６の説明では、駆動部の例として風向板ユニット１０７及び送風ファン１０６を取り上げて説明している。
【００３２】
制御部２１は、コントローラ７又は操作端末９より空気調和装置１００の運転開始信号を受信する（ステップＳ１００）。制御部２１は、音発生部５にて受信音が発生するように、音発生部５に出力をする（ステップＳ１０１）。このように、受信音を鳴らし、運転が開始されることをユーザーに報知する。なお、この受信音は、メロディーでもよいし、その他に音声での通知であってもよい。
【００３３】
ステップＳ１００及びステップＳ１０１の詳細は、次の通りである。
受信部３にコントローラ７からの情報（リモコン情報）が出力されると、その情報がリモコン情報として情報入力手段２２に出力される。或いは、集中管理装置１３、インターネット網１２及びルータ８を介して、アダプター２に操作端末９からの情報（操作情報）が出力されると、その情報が操作情報として情報入出力手段２３に出力される。
統括部２６は、このリモコン情報又は操作情報を受けると、予め設定された音発生時間が経過した後に、音発生部５にて受信音が鳴らされるように、出力手段２４に情報を出力する。そして、統括部２６から出力を受けた出力手段２４は、音発生部５に受信音を発生するように出力する。出力手段２４から出力を受けた音発生部５は、受信音を鳴らす。
【００３４】
制御部２１は、在宅者がコントローラ７で操作した動作の指示か、宅外から操作端末９で集中管理装置１３を経由した動作の指示かを判定する（ステップＳ１０２）。
制御部２１はコントローラ７からの動作指示であると判定した場合には、直ちに風向板ユニット１０７及び送風ファン１０６の動作を開始する（ステップＳ１１４）。なお、風向板ユニット１０７及び送風ファン１０６の動作は同時に開始してもよいし、ずれていてもよい。
【００３５】
一方、制御部２１は宅外から操作端末９で集中管理装置１３を経由した動作の指示であると判定した場合には、音発生部５で受信音が出力された後に、予め設定された時間である待機時間だけ待機し、風向板ユニット１０７及び送風ファン１０６を動作させない（ステップＳ１２３）。待機時間は、在宅ユーザーが受信音を認識してから空気調和装置１００から離れるなどといった猶予時間を考慮して設定するとよく、たとえば５秒と設定するとよい。
【００３６】
制御部２１は、待機時間が経過すると、まず、風向板ユニット１０７を動作させる（ステップＳ１２４）。その後に、制御部２１は、送風ファン１０６を動作させる（ステップＳ１２５）。なお、必ずしも、風向板ユニット１０７の後に送風ファン１０６を動作させるのではなく、同時でもよいし、風向板ユニット１０７の方が後であってもよい。
【００３７】
ただし、制御部２１に、送風ファン１０６よりも風向板ユニット１０７を先に動作させるように設定されていると、次のような効果がある。すなわち、風向板ユニット１０７と比較すると、高速に回転する送風ファン１０６の方が在宅者が手などを傷つけてしまう可能性が高い。そこで、送風ファン１０６を風向板ユニット１０７よりも後に動作させることで、在宅者が送風ファン１０６から手を引き出す時間をより稼ぎやすくなる。このため、在宅者の安全性をより確保することができる。
【００３８】
風向板ユニット１０７及び送風ファン１０６を動作させると、制御部２１は、リモコン情報又は操作情報に基づいて空気調和装置１００の圧縮機５２などを動作させる（ステップＳ１０６）。
【００３９】
図６は、図５とは異なる制御フローを示した図である。図５では、音発生部５から音を発生することについて説明したが、図６では、表示部６にて表示をすることについて説明する。
【００４０】
制御部２１は、コントローラ７又は操作端末９より空気調和装置１００の運転開始信号を受信する（ステップＳ２００）。制御部２１は、表示部６にて運転開始であることが表示されるように、表示部６に出力をする（ステップＳ２０１）。このように、表示部６に予め設定された表示をすることで、運転が開始されることをユーザーに報知する。
【００４１】
ステップＳ２００及びステップＳ２０１の詳細は、次の通りである。
受信部３にコントローラ７からの情報（リモコン情報）が出力されると、その情報がリモコン情報として情報入力手段２２に出力される。或いは、集中管理装置１３、インターネット網１２及びルータ８を介して、アダプター２に操作端末９からの情報（操作情報）が出力されると、その情報が操作情報として情報入出力手段２３に出力される。
統括部２６は、このリモコン情報又は操作情報を受けると、予め設定された表示時間が経過した後に、表示部６にて予め設定された表示がされるように、出力手段２４に情報を出力する。そして、統括部２６から出力を受けた出力手段２４は、表示部６にて予め設定された表示がされるように出力する。出力手段２４から出力を受けた表示部６は、運転開始の旨の表示をする。
【００４２】
制御部２１は、在宅者がコントローラ７で操作した動作の指示か、宅外から操作端末９で集中管理装置１３を経由した動作の指示かを判定する（ステップＳ２０２）。
制御部２１はコントローラ７からの動作指示であると判定した場合には、直ちに、風向板ユニット１０７及び送風ファン１０６の動作を開始する（ステップＳ２１４）。なお、風向板ユニット１０７及び送風ファン１０６の動作は同時に開始してもよいし、ずれていてもよい。
【００４３】
一方、制御部２１は宅外から操作端末９で集中管理装置１３を経由した動作の指示であると判定した場合には、表示部６で表示が出力された後に、上述した待機時間だけ待機し、風向板ユニット１０７及び送風ファン１０６を動作させない（ステップＳ２２３）。待機時間は、図５で説明した待機時間と同様である。
【００４４】
制御部２１は、待機時間が経過すると、まず、風向板ユニット１０７を動作させる（ステップＳ２２４）。その後に、制御部２１は、送風ファン１０６を動作させる（ステップＳ２２５）。なお、必ずしも、風向板ユニット１０７の後に送風ファン１０６を動作させるのではなく、同時でもよいし、風向板ユニット１０７の方が後であってもよい。
【００４５】
風向板ユニット１０７及び送風ファン１０６を動作させると、制御部２１は、リモコン情報又は操作情報に基づいて空気調和装置１００の圧縮機５２などを動作させる（ステップＳ２０６）。
【００４６】
このように、図５のステップＳ１１４を経る制御と、ステップＳ１２３を経る制御とでは、ステップＳ１２３を経る制御の方が、待機時間が設けられている分、風向板ユニット１０７及び送風ファン１０６の動作が遅くなる。同様に、図６のステップＳ２１４を経る制御と、ステップＳ２２３を経る制御とでは、ステップＳ２２３を経る制御の方が、待機時間が設けられている分、風向板ユニット１０７及び送風ファン１０６の動作が遅くなる。
これにより、空気調和装置１００から運転開始の音、表示などによる報知がされたとしても、在宅者が室内機１から手を抜くのが間に合わなくなることが起こりにくく、手を傷つけてしまうことを抑制することができる。また、在宅者が報知に気がつかなかったとしても、手を傷つけてしまうようなことが起こりにくい風向板ユニット１０７が先に動作し、その後に送風ファン１０６が動作するので、風向板ユニット１０７の動作を見るなどにより、在宅者が運転開始があったことを気づく機会を得ることができ、手を傷つけてしまうことを抑制することができる。
【００４７】
なお、図５の説明で述べた音発生時間及び図６の説明で述べた表示時間は、その値について限定されるものではないが、短い方がよい。コントローラ７などを操作してから、受信音が鳴るまでにラグがありすぎると、空気調和装置１００の使い勝手が損なわれる可能性があるからである。
【００４８】
なお、空気調和装置１００は、図５及び図６の制御を並列的に実施してもよい。すなわち、音を使用して在宅ユーザーへ通知を行いながら、表示を使用して在宅者への通知を行ってもよい。これにより、より確実に在宅者に空気調和装置１００の運転開始を報知することができる。
【００４９】
［効果について］
本実施の形態に係る空気調和装置１００は、宅外の者の操作端末９からの動作指示があった場合には、待機時間の経過を待ってから送風ファン１０６などの駆動部を動作させ、在宅者によるコントローラ７からの動作指示があった場合には、この待機時間の経過を待たず、送風ファン１０６などの駆動部を動作させるものである。このため、ユーザー及びサービスマンが、受信音及び表示を見て空気調和装置１００が駆動することを認識してから空気調和装置１００から離れるための猶予期間を稼ぐことができる。これにより、ユーザー及びサービスマンが室内機１から手を抜くのが間に合わず、手を傷付けてしまうことを抑制することができ、空気調和装置１００のメンテナンス性が損なわれてしまうことを抑制することができる。
【００５０】
なお、図５及び図６では、駆動部の例として風向板ユニット１０７及び送風ファン１０６を取り上げて説明したが、駆動部として室外機１Ｂの室外送風ファン５５、室内機１のプラズマ集塵部としても同様の効果を得ることができる。
なお、室外送風ファン５５の場合には、在宅者が室外にいるので、室内機１で発生した音、表示には気づくことができない可能性がある。そこで、室外機１Ｂに別途、スピーカの音発生部、ＬＥＤランプなどの表示部を設けるとよい。これにより、在宅者が室外機１Ｂの点検などをしていた際に操作端末９からの指示があれば、室外機１Ｂに別途設けたスピーカ及びＬＥＤランプなどで報知がなされ、そして、一定時間待機した後に、室外送風ファン５５が動作する。これにより、ユーザー及びサービスマンが室外機１Ｂから手を抜くのが間に合わず、手を傷付けてしまうことを抑制することができ、空気調和装置１００のメンテナンス性が損なわれてしまうことを抑制することができる。
【符号の説明】
【００５１】
１  室内機、１Ｂ  室外機、２  アダプター、３  受信部、４  情報出力部、５  音発生部、６  表示部、７  コントローラ、８  ルータ、９  操作端末、１０  居宅、１１  外部ネットワーク、１２  インターネット網、１３  集中管理装置、２１  制御部、２１Ｂ  室外機制御部、２２  情報入力手段、２３  情報入出力手段、２４  出力手段、２５  記憶手段、２６  統括部、２６Ａ  判定手段、２６Ｂ  駆動制御手段、５１  絞り装置、５２  圧縮機、５３  四方弁、５４  室外熱交換器、５５  室外送風ファン、６３  冷媒配管、１００  空気調和装置、１０６  送風ファン、１０７  風向板ユニット、１０８  室内熱交換器、５００  空調システム。
【図１】
2015052437.tif 000003
【図２】
2015052437.tif 000004
【図３】
2015052437.tif 000005
【図４】
2015052437.tif 000006
【図５】
2015052437.tif 000007
【図６】
2015052437.tif 000008